(57)【要約】【課題】１枚の単純な形状のものでありながら、外部空間から隔てた室内空間を形成可能なテントを設置できるテントシートを提供する。【解決手段】このテントシート１は、４個の頂点１ａ、１ｂ、１ｃ、１ｄと２個の短辺と２個の長辺を有する長方形状のものあって、４個の頂点１ａ、１ｂ、１ｃ、１ｄに対応した直線状の４個の斜め張力補強折り線部２ａ、２ｂ、２ｃ、２ｄが設けられており、４個の斜め張力補強折り線部２ａ、２ｂ、２ｃ、２ｄは各々、対応する前記頂点に隣接する前記短辺の中点１ａｂ又は１ｃｄから該頂点に隣接する前記長辺の中点より該頂点側にある頂点側点１ａｄ、１ｂｃ、１ｃｂ、又は１ｄａまで設けられている。【選択図】図１
2020111927.tif 000002
【特許請求の範囲】
【請求項１】
４個の頂点と２個の短辺と２個の長辺を有する長方形状のテントシートであって、
前記４個の頂点の各々に対応して直線状の斜め張力補強折り線部が設けられており、
該斜め張力補強折り線部は、対応する前記頂点に隣接する前記短辺の中点から該頂点に隣接する前記長辺の中点より該頂点側にある頂点側点まで設けられていることを特徴とするテントシート。
【請求項２】
請求項１に記載のテントシートにおいて、
前記斜め張力補強折り線部に対応する前記頂点に隣接する前記短辺の中点から該頂点までの距離は、該頂点に隣接する前記長辺の前記頂点側点から該頂点までの距離よりも長いことを特徴とするテントシート。
【請求項３】
請求項１又は２に記載のテントシートにおいて、
前記４個の頂点の各々に対応して前記斜め張力補強折り線部が前記頂点側点の位置を変えて複数個設けられていることを特徴とするテントシート。
【請求項４】
請求項１〜３のいずれか１項に記載のテントシートにおいて、
直線状の中央張力補強折り線部が更に設けられており、
該中央張力補強折り線部は、２個の前記短辺の前記中点を互いに結んで設けられていることを特徴とするテントシート。
【請求項５】
請求項１〜４のいずれか１項に記載のテントシートにおいて、
直線状の横断張力補強折り線部が更に設けられており、
該横断張力補強折り線部は、２個の前記頂点側点を互いに結んだ線上に設けられていることを特徴とするテントシート。
【請求項６】
請求項１〜５のいずれか１項に記載のテントシートにおいて、
該テントシートは、前記短辺の外方に前記中点に対して対称的な周辺部が付加されていることを特徴とするテントシート。
【発明の詳細な説明】
【技術分野】
【０００１】
本発明は、１枚の単純な形状のものでありながら、外部空間から隔てた室内空間を形成可能なテントを設置できるテントシートに関する。
【背景技術】
【０００２】
テントは快適性や便利さなど、使用する人の好みに合わせて種々のタイプのものが有る。その様々なタイプの中で、コンパクトに収納できて便利なテントも提案されている。例えば、特許文献１には、１枚の四辺形状のテントシートと２本の伸縮自在な支柱及び骨材で構成することにより、コンパクトに折り畳んで収納し携帯できるテントが開示されている。
【先行技術文献】
【特許文献】
【０００３】
【特許文献１】特開２００７−１００４５９号公報
【発明の概要】
【発明が解決しようとする課題】
【０００４】
特許文献１に開示されているように、テントシートを１枚の単純な形状のものとすると、収納性や耐破損性などに優れるので便利である。しかしながら、特許文献１に開示されているものでは、そのテントシートを用いたテントは、外部空間から隔てた室内空間（内部空間）を形成していない。テントは、一般的に、外部空間から隔てた室内空間を形成することが望まれることが多い。
【０００５】
本発明は、係る事由に鑑みてなされたものであり、その目的は、１枚の単純な形状のものでありながら、外部空間から隔てた室内空間を形成可能なテントを設置できるテントシートを提供することにある。
【課題を解決するための手段】
【０００６】
上記目的を達成するために、請求項１に記載のテントシートは、４個の頂点と２個の短辺と２個の長辺を有する長方形状のテントシートであって、前記４個の頂点の各々に対応して直線状の斜め張力補強折り線部が設けられており、該斜め張力補強折り線部は、対応する前記頂点に隣接する前記短辺の中点から該頂点に隣接する前記長辺の中点より該頂点側にある頂点側点まで設けられていることを特徴とする。
【０００７】
請求項２に記載のテントシートは、請求項１に記載のテントシートにおいて、前記斜め張力補強折り線部に対応する前記頂点に隣接する前記短辺の中点から該頂点までの距離は、該頂点に隣接する前記長辺の前記頂点側点から該頂点までの距離よりも長いことを特徴とする。
【０００８】
請求項３に記載のテントシートは、請求項１又は２に記載のテントシートにおいて、前記４個の頂点の各々に対応して前記斜め張力補強折り線部が前記頂点側点の位置を変えて複数個設けられていることを特徴とする。
【０００９】
請求項４に記載のテントシートは、請求項１〜３のいずれか１項に記載のテントシートにおいて、直線状の中央張力補強折り線部が更に設けられており、該中央張力補強折り線部は、２個の前記短辺の前記中点を互いに結んで設けられていることを特徴とする。
【００１０】
請求項５に記載のテントシートは、請求項１〜４のいずれか１項に記載のテントシートにおいて、直線状の横断張力補強折り線部が更に設けられており、該横断張力補強折り線部は、２個の前記頂点側点を互いに結んだ線上に設けられていることを特徴とする。
【００１１】
請求項６に記載のテントシートは、請求項１〜５のいずれか１項に記載のテントシートにおいて、該テントシートは、前記短辺の外方に前記中点に対して対称的な周辺部が付加されていることを特徴とする。
【発明の効果】
【００１２】
本発明のテントシートによれば、１枚の単純な形状のものでありながら、外部空間から隔てた室内空間を形成可能なテントを設置できる。
【図面の簡単な説明】
【００１３】
【図１】本発明の実施形態に係るテントシートを示す平面図である。
【図２】同上の図１に示したテントシートを用いたテントを示す斜視図である。
【図３】同上の図２に示したテントを設置した状態のテントシートを示すものであって、（ａ）が平面図、（ｂ）が左側面図、（ｃ）が正面図である。
【図４】同上のテントシートの斜め張力補強折り線部を複数個にした例を示す平面図である。
【図５】同上のテントシートに横断張力補強折り線部を設けた例を示す平面図である。
【図６】同上の図５に示したテントシートの横断張力補強折り線部を山折りにしてテントを設置した状態のテントシートを示すものであって、（ａ）が平面図、（ｂ）が左側面図、（ｃ）が正面図である。
【図７】同上のテントシートに周辺部を付加した例を示す平面図である。
【図８】同上の図７に示したテントシートを用いたテントを設置した状態のテントシートを示す正面図である。
【発明を実施するための形態】
【００１４】
以下、本発明を実施するための形態を説明する。本発明の実施形態に係るテントシート１は、図１に示すように、４個の頂点１ａ、１ｂ、１ｃ、１ｄを有する長方形状のものである。本実施形態では、頂点１ａと頂点１ｂの間と頂点１ｃと頂点１ｄの間を長方形状の短辺とし、頂点１ｄと頂点１ａの間と頂点１ｂと頂点１ｃの間を長方形状の長辺としている。テントシート１は、大きさが特に限定されるものではないが、例えば、長方形状の短辺が２．８ｍ前後、長辺が３．８ｍ前後にすることにより人体との具体的比率からみて適切な大きさとすることができる。このテントシート１を用いて、図２に示すようなテント６を設置することができる。また、テントシート１の基材は、一般的なテントシートと同様にポリエステル等の合成繊維製などとすることができる。テント６のテントシート１は、図３に示す状態となる。
【００１５】
テントシート１は、図１に示すように、４個の頂点１ａ、１ｂ、１ｃ、１ｄの各々に対応して直線状の斜め張力補強折り線部２ａ、２ｂ、２ｃ、２ｄが設けられている。また、テントシート１は、直線状の中央張力補強折り線部３が設けられている。斜め張力補強折り線部２ａ、２ｂ、２ｃ、２ｄ及び中央張力補強折り線部３は、テントシート１を用いるテント６を設置するときにその部分を境にして折り曲げが可能で折り曲げが予定される部分であり、また、テント６の形状を保持するように張力がかけられ、その張力に対して耐え得るように補強材により補強されている部分である。補強材は、テントシート１の基材と同じ材料又は異なる材料を直線状の帯状にして基材に固定したものや、基材に縫い付けて直線状（直線状の帯状を含む）にした糸などを用いることができる。なお、補強材は、収納性の点から、硬過ぎないものにするのが好ましい。
【００１６】
斜め張力補強折り線部２ａは、頂点１ａに隣接する短辺の中点１ａｂから頂点１ａに隣接する長辺の中点より頂点１ａ側にある頂点側点１ａｄまで設けられており、斜め張力補強折り線部２ｂは、頂点１ｂに隣接する短辺の中点１ａｂから頂点１ｂに隣接する長辺の中点より頂点１ｂ側にある頂点側点１ｂｃまで設けられており、斜め張力補強折り線部２ｃは、頂点１ｃに隣接する短辺の中点１ｃｄから頂点１ｃに隣接する長辺の中点より頂点１ｃ側にある頂点側点１ｃｂまで設けられており、斜め張力補強折り線部２ｄは、頂点１ｄに隣接する短辺の中点１ｃｄから頂点１ｄに隣接する長辺の中点より頂点１ｄ側にある頂点側点１ｄａまで設けられている。
【００１７】
好ましくは、斜め張力補強折り線部２ａに対応する頂点１ａに隣接する短辺の中点１ａｂから頂点１ａまでの距離は、頂点１ａに隣接する長辺の頂点側点１ａｄから頂点１ａまでの距離よりも長くし、斜め張力補強折り線部２ｂに対応する頂点１ｂに隣接する短辺の中点１ａｂから頂点１ｂまでの距離は、頂点１ｂに隣接する長辺の頂点側点１ｂｃから頂点１ｂまでの距離よりも長くし、斜め張力補強折り線部２ｃに対応する頂点１ｃに隣接する短辺の中点１ｃｄから頂点１ｃまでの距離は、頂点１ｃに隣接する長辺の頂点側点１ｃｂから頂点１ｃまでの距離よりも長くし、斜め張力補強折り線部２ｄに対応する頂点１ｄに隣接する短辺の中点１ｃｄから頂点１ｄまでの距離は、頂点１ｄに隣接する長辺の頂点側点１ｄａから頂点１ｄまでの距離よりも長くする。これは、テント６のテントシート１の幅（ひいては、室内空間の幅）Ｗ（図３（ｂ）参照）に対して、テント６のテントシート１の高さ（ひいては、室内空間の高さ）Ｈ（図３（ｂ）参照）を確保して、室内空間の中の使用者に対して一定の快適性を確保し易くするためである。  
【００１８】
中央張力補強折り線部３は、２個の短辺（頂点１ａと頂点１ｂの間の短辺と頂点１ｃと頂点１ｄの間の短辺）の中点１ａｂ、１ｃｄを互いに結んで設けられている。
【００１９】
中点１ａｂの両側の頂点１ａ、１ｂまでの部分には、密接して互いに連結できるように連結部材４ａ、４ｂが通常、設けられている。連結部材４ａ、４ｂは、面ファスナーや線ファスナーなどである。また、中点１ｃｄの両側の頂点１ｃ、１ｄまでの部分には、連結部材４ａ、４ｂと同様な連結部材４ｃ、４ｄが通常、設けられている。
【００２０】
また、中点１ａｂ、１ｃｄの各々の近傍には、テントシート１を用いるテント６を設置したときに、後述する支柱８Ａ、８Ａに結合できるように結合部材（例えば、紐など）５Ａ、５Ａが通常、設けられている。また、頂点側点１ａｄ、１ｂｃ、１ｃｂ、１ｄａの各々の近傍には、テントシート１を用いるテント６を設置したときに、後述する杭８Ｂ、８Ｂ、・・・に結合できるように結合部材（例えば、輪状の紐など）５Ｂ、５Ｂ、・・・が通常、設けられている。
【００２１】
テントシート１を用いるテント６は、以下説明するようにして設置することができる。先ず、フロアシート７を地面に敷く。そして、４個の斜め張力補強折り線部２ａ、２ｂ、２ｃ、２ｄと中央張力補強折り線部３を山折りにする（図３（ａ）参照）。そうすると、中点１ａｂの両側の頂点１ａ、１ｂまでの部分は互いに接するようにすることができ（図３（ｂ）参照）、また、中点１ｃｄの両側の頂点１ｃ、１ｄまでの部分は互いに接するようにすることができる。着目すべきは、このとき、頂点側点１ａｄから頂点１ａまでの部分と頂点側点１ｂｃから頂点１ｂまでの部分は、直線状に並び、フロアシート７に接するようにすることができ、また、頂点側点１ｃｂから頂点１ｃまでの部分と頂点側点１ｄａから頂点１ｄまでの部分は、直線状に並び、フロアシート７に接するようにすることができる。
【００２２】
そうすると、中点１ａｂの両側の頂点１ａ、１ｂまでの部分は連結部材４ａ、４ｂで互いに連結でき、中点１ｃｄの両側の頂点１ｃ、１ｄまでの部分は連結部材４ｃ、４ｄで互いに連結でき、テントシート１を用いて閉鎖された室内空間（内部空間）を作ることができる。それらの連結部分は、テント６の出入り口とすることができる。また、図示は省略するが、テントシート１とフロアシート７は既知の方法で固定することができる。なお、フロアシート７は、長方形状やその他様々な形状のものが可能であり、また、テントシート１と一体的に形成することも可能である。
【００２３】
そして、２本の支柱（ポール）８Ａ、８Ａの各々を左側面側と右側面側で地面に立てワイヤ８Ｃ、８Ｃ、・・・を用いて安定させ、その上部に結合部材５Ａ、５Ａを結合させて固定し、また、杭（ペグ）８Ｂ、８Ｂ、・・・に結合部材５Ｂ、５Ｂ、・・・を結合させて地面に固定する。そうすると、テントシート１を用いるテント６が設置され、テントシート１は、図３（ｃ）に示すように、正面視で下側の底辺が上側の底辺よりも短い台形状であり、図３（ｂ）に示すように、左側面視及び右側面視で三角形状のものとなる。テントシート１を用いるテント６の最上位は、中点１ａｂ、１ｃｄ及びそれらを互いに結んで設けられている中央張力補強折り線部３となる。テント６の出入り口は、テント６の最上位である中点１ａｂ（又は１ｃｄ）から下るに従って内方になる。なお、図３（及び後述する図６、図８）において、結合部材５Ａ、５Ａは、図示の都合上、開放した状態（結び目が形成されていない状態）で示している。
【００２４】
このように、テントシート１によれば、１枚の単純な形状ものでありながら、外部空間から隔てた室内空間を形成可能なテント６を設置できる。なお、中央張力補強折り線部３は、テントシート１を用いるテント６の最上位の形状が雨や風などにより変化し易くなるが、場合によっては省略することも可能である。
【００２５】
また、テントシート１は、１枚の単純な形状のものであるので、収納性や耐破損性などに優れるので便利である。収納するときは、ロール状に丸めたり折り畳むようにしたりすることが可能である。
【００２６】
以上説明したテントシート１は、以下のいくつかの例に示すように更なる部材や部分を付加することができる。なお、以下に示す例は、互いに適用し合えるものである。
【００２７】
先ず、テントシート１は、頂点１ａ、１ｂ、１ｃ、１ｄの各々に対応して設けられる斜め張力補強折り線部を頂点側点の位置を変えて複数個にすることができる。つまり、テントシート１は、図４に示すように、頂点１ａ、１ｂ、１ｃ、１ｄの各々に対応して、上述した斜め張力補強折り線部２ａ、２ｂ、２ｃ、２ｄに加えて更に斜め張力補強折り線部２ａ’、２ｂ’、２ｃ’、２ｄ’が設けられるようにすることができる。斜め張力補強折り線部２ａ’、２ｂ’、２ｃ’、２ｄ’の頂点側点１ａｄ’、１ｂｃ’、１ｃｂ’、１ｄａ’の位置は、斜め張力補強折り線部２ａ、２ｂ、２ｃ、２ｄの頂点側点１ａｄ、１ｂｃ、１ｃｂ、１ｄａと異なっている。斜め張力補強折り線部２ａ、２ｂ、２ｃ、２ｄと斜め張力補強折り線部２ａ’、２ｂ’、２ｃ’、２ｄ’に更なる斜め張力補強折り線部を加えることも可能である。
【００２８】
このようにすると、テント６のテントシート１の幅（ひいては、室内空間の幅）Ｗ（図３（ｂ）参照）とテント６のテントシート１の高さ（ひいては、室内空間の高さ）Ｈ（図３（ｂ）参照）との比を、人や荷物や外部環境などの状況に応じて変えることができる。例えば、斜め張力補強折り線部２ａ、２ｂ、２ｃ、２ｄを山折りにしたテント６のテントシート１よりも斜め張力補強折り線部２ａ’、２ｂ’、２ｃ’、２ｄ’を山折りにしたテント６のテントシート１は、高さＨは低くなるが幅Ｗは広くなる。
【００２９】
次に、テントシート１は、図５に示すように、直線状の横断張力補強折り線部９ａｂ、９ｃｄを設けることができる。横断張力補強折り線部９ａｂは、頂点側点１ａｄと頂点側点１ｂｃを互いに結んだ線上に設けられ、横断張力補強折り線部９ｃｄは、頂点側点１ｃｂと頂点側点１ｄａを互いに結んだ線上に設けられる。横断張力補強折り線部９ａｂ、９ｃｄは、４個の斜め張力補強折り線部２ａ、２ｂ、２ｃ、２ｄ（及び２ａ’、２ｂ’、２ｃ’、２ｄ’）及び中央張力補強折り線部３の補強材と同様な補強材を用いることができる。また、図５において、横断張力補強折り線部９ａｂ、９ｃｄの各々と中央張力補強折り線部３の交点を９ａｂｘ、９ｃｄｘとしている。交点９ａｂｘ、９ｃｄｘの近傍には、結合部材（例えば、紐など）５Ａ’、５Ａ’が通常、設けらる。
【００３０】
このようにすると、テント６のテントシート１は、図３に示した状態以外に、図６に示す状態とすることができる。図６に示す状態にする場合、横断張力補強折り線部９ａｂ、９ｃｄと中央張力補強折り線部３を山折りにし、４個の斜め張力補強折り線部２ａ、２ｂ、２ｃ、２ｄを谷折りにする（図６（ａ）参照）。そうすると、上述した（図３を用いて説明した）のと同様に、中点１ａｂの両側の頂点１ａ、１ｂまでの部分は互いに接するようにすることができ（図６（ｂ）参照）、また、中点１ｃｄの両側の頂点１ｃ、１ｄまでの部分は互いに接するようにすることができる。また、このとき、頂点側点１ａｄから頂点１ａまでの部分と頂点側点１ｂｃから頂点１ｂまでの部分は、直線状に並び、フロアシート７に接するようにすることができ、また、頂点側点１ｃｂから頂点１ｃまでの部分と頂点側点１ｄａから頂点１ｄまでの部分は、直線状に並び、フロアシート７に接するようにすることができる。
【００３１】
そうすると、上述した（図３を用いて説明した）のと同様に、中点１ａｂの両側の頂点１ａ、１ｂまでの部分は連結部材４ａ、４ｂで互いに連結でき、中点１ｃｄの両側の頂点１ｃ、１ｄまでの部分は連結部材４ｃ、４ｄで互いに連結でき、テントシート１を用いて閉鎖された室内空間（内部空間）を作ることができる。それらの連結部分は、テント６の出入り口とすることができる。
【００３２】
２本の支柱（ポール）８Ａ、８Ａには、結合部材５Ａ’、５Ａ’を結合させて固定する。その他のテント６の設置方法は、上述した（図３を用いて説明した）のと同様にすることができる。テントシート１を用いるテント６の最上位は、交点９ａｂｘ、９ｃｄｘ及びそれらの間の中央張力補強折り線部３となる。このテント６の出入り口は、内方に有る中点１ａｂ（又は１ｃｄ）から下るに従って外方になる。
【００３３】
図６に示す状態にすると、外部面積（外部空間に接する面積）が小さくなるために、強風などの場合にそれに耐え得る力が大きくなる、
【００３４】
次に、テントシート１は、図７に示すように、２個の短辺（頂点１ａと頂点１ｂの間の短辺と頂点１ｃと頂点１ｄの間の短辺、）の各々の外方に中点１ａｂ又は１ｃｄに対して対称的な周辺部１Ａ、１Ａを付加することができる。周辺部１Ａは、図７に示すように帯状の形状とすることができる。なお、図７においては、周辺部１Ａ、１Ａにおいて頂点１ａ、１ｂ、１ｃ、１ｄの近傍の端部は、斜めにしている。
【００３５】
周辺部１Ａ、１Ａを有するテントシート１を用いて設置したテント６は、図８に示すように、２個の短辺を谷折りにしそれらの中央部を山折りにして、中点１ａｂの両側の頂点１ａ、１ｂまでの部分を互いに接するようにし、また、中点１ｃｄの両側の頂点１ｃ、１ｄまでの部分を互いに接するようにすると、周辺部１Ａ、１Ａの各々の半分同士を重ね合わせることができる。それにより、連結部材４ａ、４ｂ（又は４ｃ、４ｄ）を隠すようにして保護することができる。なお、周辺部１Ａは、２個の短辺のうちいずれか一方のみに設けることも可能である。  
【００３６】
以上、本発明の実施形態に係るテントシートについて説明したが、本発明は、実施形態に記載したものに限られることなく、特許請求の範囲に記載した事項の範囲内での設計変更が可能である。
【００３７】
また、テント６は、複数枚のテントシート１を用いて設置することもできる。例えば、図３（或いは図６）に示した状態のテントシート１を２枚重ねて、或いは、図６に示した状態のテントシート１の上に図３に示した状態のテントシート１を重ねて、いわゆるダブルウォールテントとすることが可能である。また、図３（或いは図６）に示した状態のテントシート１を中央張力補強折り線部３を延長するように２枚互いにずらして重ねて、長いテントとすることが可能である。
【符号の説明】
【００３８】
１    テントシート
１Ａ  テントシートの周辺部
１ａ、１ｂ、１ｃ、１ｄ  テントシートの頂点  
１ａｂ、１ｃｄ  テントシートの短辺の中点
１ａｄ、１ｂｃ、１ｃｂ、１ｄａ  テントシートの長辺の頂点側点
１ａｄ’、１ｂｃ’、１ｃｂ’、１ｄａ’  テントシートの長辺の頂点側点
２ａ、２ｂ、２ｃ、２ｄ  斜め張力補強折り線部
２ａ’、２ｂ’、２ｃ’、２ｄ’  斜め張力補強折り線部
３    中央張力補強折り線部
４ａ、４ｂ、４ｃ、４ｄ  連結部材
５Ａ、５Ａ’  結合部材
５Ｂ  結合部材
６    テント
７    フロアシート
８Ａ  支柱（ポール）
８Ｂ  杭
８Ｃ  ワイヤ
９ａｂ、９ｃｄ  横断張力補強折り線部
９ａｂｘ、９ｃｄｘ  横断張力補強折り線部と中央張力補強折り線部の交点
【図１】
2020111927.tif 000003
【図２】
2020111927.tif 000004
【図３】
2020111927.tif 000005
【図４】
2020111927.tif 000006
【図５】
2020111927.tif 000007
【図６】
2020111927.tif 000008
【図７】
2020111927.tif 000009
【図８】
2020111927.tif 000010